(57)【要約】  ネットワーク又はＮｏｄｅＢ（ＢＳ）及び複数の移動局（ＭＳ１、ＭＳ２、ＭＳ３）を有するパケットデータマルチキャスト通信システムを動作する方法である。前記ネットワーク及び前記移動局は、前記ネットワークと前記移動局との間のダウンリンクにおけるデータパケットの送信及びアップリンクにおけるフィードバック信号（ＡＣＫ／ＮＡＣＫ）に対する送受信機器（１４、３４）を持つ。前記移動局は、第１の局により送信されたデータパケットを受信する手段と、受信の品質を測定する手段（４６）と、前記測定された品質が少なくとも３つの所定の品質範囲のいずれに入るかを決定する手段（３０、４８）と持つ。前記少なくとも３つの所定の品質範囲のそれぞれは、前記第１の局のそれぞれの送信器動作を表し、前記品質範囲の少なくとも２つの隣接していないものに対応する前記送信器動作は同一である。
2007519357.tif 000002
【特許請求の範囲】
【請求項１】
第１の局及び複数の第２の局を有するパケットデータマルチキャスト通信システムを動作する方法であって、前記第１の局及び前記第２の局が、前記第１の局と前記第２の局との間の通信用の送受信機器を持ち、前記第１の局がデータパケットを送信し、前記複数の第２の局の少なくとも１つが前記データパケットを受信する前記方法において、前記複数の第２の局の前記少なくとも１つが前記受信されたデータパケットの受信の品質を測定し、前記測定された品質が少なくとも３つの所定の品質範囲のいずれに入るかを決定し、前記第１の局が前記少なくとも３つの所定の品質範囲のそれぞれに応答してそれぞれの後の送信器動作を採用し、前記品質範囲の少なくとも２つの隣接していない品質範囲に対応する前記後の送信器動作が同一であることを特徴とする方法。
【請求項２】
前記第２の局が、前記少なくとも２つの隣接していない品質範囲以外の前記品質範囲を表す指標を送信することを特徴とする、請求項１に記載の方法。
【請求項３】
前記第２の局が、前記少なくとも２つの隣接していない品質範囲のそれぞれに関して同じ指標を送信することを特徴とする、請求項２に記載の方法。
【請求項４】
前記少なくとも２つの隣接していない品質範囲が最良の品質範囲及び最悪の品質範囲であることを特徴とする、請求項１、２又は３に記載の方法。
【請求項５】
前記受信されたデータパケットの受信の品質の前記測定が、受信された信号の所定の品質測定基準の測定値と少なくとも３つの品質範囲との比較により特徴付けられる、請求項１ないし４のいずれか一項に記載の方法。
【請求項６】
前記品質範囲が、それぞれの第２の局により与えられる閾値により規定されることを特徴とする、請求項５に記載の方法。
【請求項７】
前記品質範囲が、前記第１の局により前記第２の局に信号送信される閾値により規定されることを特徴とする、請求項５に記載の方法。
【請求項８】
前記所定の品質測定基準が、Ｅb／Ｎ0（ビット当たりのエネルギ／ノイズ密度）、所定のタイムウィンドウにおいて成功して受信されたデータパケットの数、所定数のパケットのグループの中の以前に正確に受信されたデータパケットの割合、及び他の受信された信号の受信ＳＩＲ（信号対干渉比）又はＳＮＲ（信号対ノイズ比）の少なくとも１つを有することを特徴とする、請求項５ないし７のいずれか一項に記載の方法。
【請求項９】
前記受信されたデータパケットの受信の品質が、所定の継続期間の間に決定されることを特徴とする、請求項８に記載の方法。
【請求項１０】
前記第１の局は、少なくとも所定の割合の前記第２の局がデータパケットデータサービスを満足に受信することを保証するように１つ以上の送信パラメータを調整することを特徴とする、請求項１ないし９のいずれか一項に記載の方法。
【請求項１１】
前記送信パラメータが、再送信の回数、送信パワー、拡散係数、符号レート及び変調方式の１つ以上を有することを特徴とする、請求項１０に記載の方法。
【請求項１２】
前記指標の異なるものが異なる時間における送信により区別されることを特徴とする、請求項２又は３に記載の方法。
【請求項１３】
前記指標の異なるものが異なる符合語により区別されることを特徴とする、請求項２又は３に記載の方法。
【請求項１４】
前記指標の異なるものが異なる周波数チャネルにより区別されることを特徴とする、請求項２又は３に記載の方法。
【請求項１５】
第１の局及び複数の第２の局を有するパケットデータマルチキャスト通信システムであって、前記第１の局及び前記第２の局が前記第１の局と前記第２の局との間の通信用の送受信機器を持ち、前記第１の局がデータパケットを送信する手段を持ち、前記第２の局が前記データパケットを受信する手段を持つ前記システムにおいて、前記第２の局が受信の品質を測定する手段と、前記測定された品質が少なくとも３つの所定の品質範囲のいずれに入るかを決定する手段とを持ち、前記第１の局が前記少なくとも３つの所定の品質範囲のそれぞれに応答してそれぞれの後の送信器動作を採用する手段を持ち、前記品質範囲の少なくとも２つの隣接していない品質範囲に対応する前記後の送信器動作が同一であることを特徴とするシステム。
【請求項１６】
前記受信の品質を測定する手段が、受信された信号の所定の品質測定基準の測定値を少なくとも３つの品質範囲と比較するように構成されることを特徴とする、請求項１５に記載のシステム。
【請求項１７】
前記第１の局は、少なくとも所定の割合の前記第２の局がデータパケットを受信することを保証するように１つ以上の送信パラメータを調整する手段を持つ、請求項１５に記載のシステム。
【請求項１８】
前記送信パラメータが、再送信の回数、送信パワー、拡散係数、符号レート又は変調方式の１つ以上を有することを特徴とする、請求項１７に記載のシステム。
【請求項１９】
第１の局及び複数の第２の局を有するパケットデータマルチキャスト通信システムにおいて使用する第２の局であって、前記第２の局が、前記第１の局と前記第２の局との間の通信用の送受信機器と、前記第１の局により送信されたデータパケットを受信する手段とを持つ前記第２の局において、前記第２の局が、受信の品質を測定する手段と、前記測定された品質が少なくとも３つの所定の品質範囲のいずれに入るかを決定する手段とを持ち、前記少なくとも３つの所定の品質範囲のそれぞれが前記第１の局のそれぞれの後の送信器動作を表し、前記品質範囲の少なくとも２つの隣接していない品質範囲に対応する前記後の送信器動作が同一であることを特徴とする第２の局。
【請求項２０】
前記受信の品質を測定する手段が、受信されたデータパケット品質の測定値を所定の品質測定基準と比較するように構成されることを特徴とする、請求項１９に記載の第２の局。
【発明の詳細な説明】
【技術分野】
【０００１】
本発明は、パケットデータマルチキャスト通信システム、そこで使用する局、及び前記システムを動作する方法に関する。特に、本発明は、再送信方式でフィードバック信号（feedback signalling）に対する承認機構を要する通信システムに関する。本発明は、排他的にではないが特に、ＵＭＴＳ（ユニバーサルモバイルテレコミュニケーションシステム）のようなセル方式電話システムに対する応用を持つ。
【背景技術】
【０００２】
一対多方向型（point-to-multipoint）構成であるマルチキャストにおけるデータの信用できる配信に対する再送信方式が、ＵＭＴＳ（ユニバーサルモバイルテレコミュニケーションシステム）のような通信システムにおいて必要とされている。このような方式は、通常は、ユーザ機器（ＵＥ）とネットワーク（ＮｏｄｅＢ）との間の何らかの形式のフィードバック機構の使用を暗示し、これは結果として、ＵＥの数が大きい場合に、多量のフィードバック信号を生じる可能性がある。
【０００３】
アップリンクフィードバック機構を持つダウンリンク再送信方式の動作のモード及び概念は容易に理解される。典型的には、ＮｏｄｅＢは、ダウンリンクチャネル上で特定のマルチキャストグループに属するＵＥにデータを送信する。前記ＵＥにおけるアップリンクフィードバック機構は、第一に、前記ＵＥがマルチキャストパケットを正しく受信する場合に再送信する必要がないことを示す“肯定”承認（ＡＣＫ）と、第二に、前記ＵＥがパケットエラー又は損失を検出する場合に該当するデータのピースを再送信する必要又は要求を示す“否定”承認（ＮＡＣＫ）との２つの形式を取ることができる。前記ＮＡＣＫを受信すると、前記ＮｏｄｅＢは、データ再送信が必要であるか否かを評価することができる。
【０００４】
再送信を実行するかどうかを確立する決定（decision-making）プロセスに注目する場合に問題が明らかになる。例えば、特定のＵＥが悪い無線チャネルに苦しむ場合に、前記ＵＥは常に再送信を要求するであろう。したがって、再送信に対する同じ要求を示しているか否かに関わらず、他のＵＥから来る他のフィードバック信号は、特定の再送信に対する同じ必要性を示しているだけなので、冗長である。これは、ＵＥの数が大きい場合に、潜在的にチャネル資源の浪費でもある。より一般的に、特定のグループのＵＥが悪い受信器であり、再送信を引き起こす場合、他のＵＥは、追加の情報を提供しない限り、同じ要求を繰り返すことは冗長である。ＵＥの小さな割合のみが再送信を要求する場合に、これらのＵＥに対してパケットを再送信するのに大きなダウンリンク資源を浪費することは望ましくないかもしれない。
【発明の開示】
【発明が解決しようとする課題】
【０００５】
本発明の目的は、マルチキャスト通信ネットワークを動作する効率を改良することである。
【課題を解決するための手段】
【０００６】
本発明の第１の態様によると、第１の局及び複数の第２の局を有するパケットデータマルチキャスト通信システムを動作する方法であって、前記第１及び第２の局が前記第１の局と前記第２の局との間の通信用の送受信機器を持ち、前記第１の局がデータパケットを送信し、前記複数の第２の局の少なくとも１つが前記データパケットを受信する前記方法において、前記複数の第２の局の前記少なくとも１つが前記受信されたデータパケットの受信の品質（quality of reception）を測定し、かつ前記測定された品質が少なくとも３つの所定の品質範囲のいずれに入るかを決定し、前記第１の局が、前記少なくとも３つの所定の品質範囲のそれぞれに応答してそれぞれの後の送信器動作（subsequent transmitter behaviour）を採用し、前記品質範囲の少なくとも２つの隣接していないものに対応する前記後の送信器動作が同一であることを特徴とする前記方法が提供される。
【０００７】
本発明の第２の態様によると、第１の局及び複数の第２の局を有するパケットデータマルチキャスト通信システムであって、前記第１及び第２の局が前記第１の局と前記第２の局との間の通信用の送受信機器を持ち、前記第１の局がデータパケットを送信する手段を持ち、前記第２の局が前記データパケットを受信する手段を持つ前記システムにおいて、前記第２の局が受信の品質を測定する手段と、前記測定された品質が少なくとも３つの所定の品質範囲のいずれに入るかを決定する手段とを持ち、前記第１の局が、前記少なくとも３つの所定の品質範囲のそれぞれに応答してそれぞれの後の送信器動作を採用する手段を持ち、前記品質範囲の少なくとも２つの隣接していないものに対応する前記後の送信器動作が同一であることを特徴とする前記システムが提供される。
【０００８】
本発明の第３の態様によると、第１の局及び複数の第２の局を有するパケットデータマルチキャスト通信システムにおいて使用する第２の局であって、前記第１の局と前記第２の局との間の通信用の送受信機器と、前記第１の局により送信されたデータパケットを受信する手段とを持つ前記第２の局において、前記第２の局が、受信の品質を測定する手段と、前記測定された品質が少なくとも３つの所定の品質範囲のいずれに入るかを決定する手段とを持ち、前記少なくとも３つの所定の品質範囲のそれぞれが前記第１の局のそれぞれの後の送信器動作を表し、前記品質範囲の少なくとも２つの隣接していないものに対応する前記後の送信器動作が同一であることを特徴とする前記第２の局が提供される。
【０００９】
本発明による前記方法は、例えば、信号受信の品質による再送信要求の信号により、送信器動作に影響を与えるためにＵＥ即ち第２の局による選択機構を確立する。これを行うために、様々なＵＥ即ち第２の局による“良い”又は“悪い”受信の異なるレベルの何らかの形の情報が使用されなければならない。
【００１０】
前記選択機構は、アップリンクフィードバック信号における承認、例えばＡＣＫ又はＮＡＣＫの送信を使用する。
【００１１】
本発明による前記方法は、ＵＥがセル内の信号又はパケット受信の異なる品質を経験し、この差を反映する優先順位で承認のシステムを実施するという事実を利用する。
【００１２】
異なるＵＥ即ち第２の局は、異なる優先順位の承認、例えばＡＣＫ又はＮＡＣＫが、ＡＣＫに対する“良い”受信又はＮＡＣＫに対する“悪い”受信のスケール（scale）のどこに適合するかを示すことができる。
【００１３】
典型的な実施例において、異なる優先順位の承認は、データパケットの受信の品質によって異なるＵＥ即ち第２の局により送信される。前記第１の局、例えば前記ネットワークは、適切なアルゴリズムにより前記承認を処理し、適宜に前記送信器動作を適合する。例えば、前記承認が良い受信を示す場合、再送信は行われない。これは、前記承認が慢性的に悪い受信を示す場合も同様でありうる。前記受信の品質が慢性的に悪い場合にデータパケットを再送信しない利点は、前記ネットワーク即ち第１の局が、許容できないほど悪い品質の信号を経験している第２の局にデータを送信しようと試みる必要性を避けることにより多くのエネルギを節約することができることである。これら２つの極端の中間で、前記第１の局は、１以上の再送信を決定することができる。加えて、１以上の送信器パラメータが調整されてもよい。このようなパラメータの例は、再送信の回数、送信パワー、拡散係数、符号レート及び変調方式である。
【００１４】
本発明は、添付図面を参照して例によってここに記載される。
【発明を実施するための最良の形態】
【００１５】
図１を参照すると、基地局ＢＳにより表されるネットワーク及び複数のユーザ機器（ＵＥ）即ち移動局ＭＳ１、ＭＳ２、ＭＳ３を有する無線通信システム、例えばＵＭＴＳシステムが図示されている。前記移動局は、前記基地局の無線カバレッジエリア（coverage area）内を移動することができ、前記移動局からのアップリンク及び前記基地局からのダウンリンクにおける拡散スペクトル信号によって無線通信を維持する。拡散スペクトル信号の常として、複数の信号が同時に送信されることができ、各信号はシグナチャ（signatures）のセットから選択された独自のシグナチャ又は拡散符号を持つ。加えて、より弱い信号がより強力な信号により無力にされることを防ぐためにパワー制御が達成されなければならない。したがって、基地局は、自由に使える送信パラメータの範囲の中から、移動局が前記アップリンクにおいて送信することができる最大パワーを指定することができる。
【００１６】
図１を参照すると、基地局ＢＳは前記システムの維持並びに信号の送信及び受信に関与する多くの機能を実行するコントローラ１２を含む制御モジュール１０により制御される。送受信器１４は、拡散スペクトル信号の送信及び受信のためにアンテナ１６に結合される。データ１８の外部ソースは、データがパケットにフォーマットされるコントローラ１２に結合される。前記データパケットは、乗算器２０においてシグナチャ、例えば符号記憶部２２から得られる擬似乱数符号をコントローラ１２の制御下で乗算することにより送信のために作成される。前記拡散スペクトル信号は、変調及び送信のために送受信器１４に送られる。説明の利便性のため、制御モジュール１０は、コントローラ１２に結合された送信パラメータ記憶部２６及び送信プロトコル記憶部２８を含むように図示されるが、しかしながら、これらはコントローラ自体に組み込まれてもよい。
【００１７】
アンテナ１６において受信された信号の場合、前記信号は復調され、前記復調された信号に適切なシグナチャを乗算することにより逆拡散（despread）される。この後に、前記逆拡散された信号がコントローラ１２に送られる。
【００１８】
移動局ＭＳ１、ＭＳ２及びＭＳ３は、実質的に同じであり、説明の利便性のため、移動局ＭＳ１が説明される。移動局ＭＳ１は、マイクロコントローラ３２を有する制御段３０により制御される。前記制御段は、信号の送信及び受信を含む前記移動局の動作に関与する多くの機能を実行する。送受信器３４は、基地局ＢＳからのダウンリンク拡散スペクトル信号Ｓdの受信及び基地局ＢＳへのアップリンク拡散スペクトル信号Ｓupの送信のためにアンテナ３６に結合される。ベースバンドデータ・フォーマット及びデフォーマット段と、データを入力する手段と、データを出力する手段とを含むマン／マシンインターフェース３８は、マイクロコントローラ３２に結合される。送信モードにおいて、データパケットは乗算器４０に送られ、乗算器４０に、マイクロコントローラ３２の制御下で、シグナチャ、例えば符号記憶部４２から得られる擬似乱数符号が供給される。前記アップリンク上で送信されるべき信号は、拡散され、変調及び送信のために送受信器３４に送られる。前記制御段は、データを記憶するＲＡＭ４４と、前記受信されたデータパケットの受信の品質を測定する段４６と、前記測定された品質が少なくとも３つの所定の品質範囲のいずれに位置するかを決定する段４８とを含むように示され、全ての前記段がマイクロコントローラ３２に結合される、又は組み込まれてもよい。段４６は、所定の品質測定基準と受信されたデータパケット品質の測定値との比較により前記受信されたデータパケットの受信の品質を決定する。
【００１９】
アンテナ３６において受信されるダウンリンク信号Ｓdの場合、前記信号は、復調され、前記復調された信号を適切なシグナチャと乗算することにより逆拡散される。この後に、前記逆拡散された信号がマン／マシンインターフェース３８に送られる。
【００２０】
図１を参照すると、時々、基地局ＢＳは、複数の移動局に対してマルチメディア放送及びマルチキャストサービス（ＭＢＭＳ）に対するデータパケットを送信するために前記ダウンリンクを使用する。移動局ＭＳのそれぞれは、例えば巡回冗長検査（ＣＲＣ）評価の結果に依存して前記受信されたデータパケットの受信の品質を測定する。移動局ＭＳ１のマイクロコントローラ３２は、前記測定された品質が少なくとも３つの品質範囲のいずれに入るかを決定する。割り当てられた品質範囲の表示は、適切であれば、基地局ＢＳに転送されてもよい。前記表示は、肯定の承認ＡＣＫ又は異なるレベルの否定の承認ＮＡＣＫ１，ＮＡＣＫ２．．．ＮＡＣＫｎのような承認を有することができる。適切であれば、前記承認は、前記基地局が前記承認をデータパケットに関連付けることができるように、それぞれの前記データパケットの所定の時間間隔後にアップリンク信号Ｓupとして送信される。下に記載される特定の状況においては、前記送信器動作が同じであるので、特定の品質範囲に関して承認を送信することは、実際に不必要である。
【００２１】
多数のＵＥ、即ち移動局ＭＳの場合、基地局ＢＳから各移動局への送信の受信の品質は、各移動局ＭＳに対して異なり、良いから悪いまでの範囲をカバーし得る。非常に悪い無線チャネルの場合、常にデータパケットの再送信に対する要求が存在し、これらはチャネル資源の浪費を生じる可能性がある。
【００２２】
本発明による前記方法は、前記アップリンクフィードバック信号における承認、例えばＡＣＫ又はＮＡＣＫの選択的な優先順位付け機構を採用することにより前記チャネル資源をより効率的に使用する。選択プロセスは、それぞれの移動局ＭＳにおける信号受信の品質に基づく。
【００２３】
典型的な実施例において、異なる優先順位の承認、例えばＡＣＫ又はＮＡＣＫは、受信品質にしたがって異なる移動局ＭＳにより送信されることができる。
【００２４】
図２は、第１の閾値ＴＨ１の上、第２の閾値ＴＨ２の上かつ第１の閾値ＴＨ１の下、及び第２の閾値ＴＨ２の下によりそれぞれ規定される信号品質の３つの範囲Ｒ１、Ｒ２及びＲ３を持つ単純化された方式を示す。範囲Ｒ１は許容可能（acceptable）に関し、範囲Ｒ２は、稀に悪い受信（又は現在悪い受信）に関し、範囲Ｒ３は、慢性的に悪い受信（又は現在非常に悪い受信）に関する。図示された方式において、範囲Ｒ１に対するフィードバック信号はＡＣＫであり、範囲Ｒ２に対するフィードバック信号はＮＡＣＫ２であり、範囲Ｒ３に対するフィードバック信号はＮＡＣＫ１である。
【００２５】
前記異なる移動局は、前記信号品質の範囲を決定する閾値として以下の１つ以上の品質測定基準、即ち
−（例えば最近受信された送信に対する）所定の時間期間におけるＥb／Ｎ0（ノイズ密度により除算されたビット当たりのエネルギ）、
−所定のタイムウィンドウにおける以前に成功して受信されたパケットの数、
−所定数のパケットのグループの中の以前に正しく受信されたパケットの割合、
−一定のパワーレベルで送信されるパイロットチャネル（例えばＵＭＴＳにおけるＣＰＩＣＨ（共通パイロットチャネル））のような前記データ又は他の受信された信号の受信信号対干渉比（ＳＩＲ）又は信号対ノイズ比（ＳＮＲ）、
の１つ以上の値を使用することができる。これは、前記ダウンリンクチャネルの受信の品質の表示を与えることができる。ＮＡＣＫ１とＮＡＣＫ２との間で決定する閾値との比較の前に、所定のオフセットが前記ＣＰＩＣＨの受信されたＳＩＲに加えられることができる。このような閾値は、前記ネットワーク、即ち基地局ＢＳにより信号送信されることができ、前記ＣＰＩＣＨの送信パワーと承認されるべきパケットの送信パワーとの間の差に対応することができる。
【００２６】
ＡＣＫ信号は基地局ＢＳに以前に送信されたデータパケットの再送信を要求しないので、前記プロトコルは、移動局がＡＣＫを送信しないことを許可してもよく、これにより全体の信号トラフィックを軽減する。ＮＡＣＫ１及びＮＡＣＫ２信号は、複数の態様、例えば、異なる回数で送信されることにより、異なる符号語を使用することにより、又は異なるチャネル（即ちチャネル化符号及び／又はスクランブル符号及び／又は周波数）を使用することにより区別されることができる。
【００２７】
多くの再送信要求を生じさせる慢性的に悪いチャネルの場合、動作モードは、ＮＡＣＫ１メッセージがＡＣＫメッセージと正確に同じ信号を使用して送信されるか、又は全く送信されないかのいずれかである形式を取ることができる。換言すると、隣接していない品質範囲Ｒ１及びＲ３に位置する前記測定された信号品質に応答する前記送信器動作は同じである。この場合、ＮｏｄｅＢ即ち基地局ＢＳは、範囲Ｒ１に位置する受信された信号品質を持つと見なすことにより移動局ＭＳが正しく前記パケットを復号することができる前に多数の再送信を必要とする見込みの移動局ＭＳを効果的に無視する。これは、大部分（又は所定の割合）の移動局が再送信を必要としない場合、又は再送信しても復号されることができる見込みが低い場合に再送信が回避されることを可能にする。この方策を採用することにより、移動局は、許容できない品質のデータパケットを復号しようと試みることを回避することによりエネルギを節約することができる。
【００２８】
受信がどれだけ良い又は悪いかを示す、受信された承認のタイプに依存して、ＮｏｄｅＢ即ち基地局ＢＳは、複数のオプションにより再送信を実行するか（否か）を決定することができる。第一に、ＮＡＣＫ１を受信する場合に、常に１回又は所定の回数だけ再送信し、場合によりアップリンク資源を解放するためにＮＡＣＫ２移動局がフィードバックを送信することを防ぐ。第二に、ＮＡＣＫ２メッセージが受信される場合のみに再送信する。
【００２９】
ＮＡＣＫ１メッセージが一意的に識別可能な信号（これは前記ＡＣＫメッセージと同一ではない）として送信される場合、ＮｏｄｅＢ即ち基地局ＢＳは、マルチキャストサービスを満足に受信していない移動局の割合を評価するために前記ＮＡＣＫ１メッセージを更に使用することができる。これは、この場合、再送信の回数、送信パワー、拡散係数、符号レート、変調方式又はパケット送信の他のパラメータを調整して、適宜に一般的な信頼性を増加又は減少させるようにコントローラ１２により使用されてもよい。これらのオプションは、送信パラメータ記憶部２６に含まれる。典型的には、セル内の前記移動局の少なくとも９５％がこのようなＭＢＭＳサービスを満足に受信することができることを保証することが望ましい。
【００３０】
他の承認優先順位構成及び再送信オプションが可能である。また、３より多い品質範囲が作成されてもよい。しかしながら、前記品質範囲の少なくとも２つの隣接していないものに対応する送信器動作は同一である。
【００３１】
図３に示されるフローチャートを参照すると、ブロック５０は、ノードＢ即ち基地局がダウンリンクにおいてデータパケットを送信することに関する。ブロック５２は、前記移動局が前記データパケットを受信することに関し、ブロック５４において、前記移動局は前記受信されたデータパケットの受信の品質を測定する。ブロック５６は、前記測定された品質の値が少なくとも３つの所定の品質範囲のいずれに入るかを決定することに関する。ブロック５８は、選択された品質範囲が所定の隣接していない範囲の１つであるかを確認することに関する。回答がイエス（Ｙ）である場合、ブロック６０において前記移動局が隣接してない範囲、例えば図２における範囲Ｒ１又はＲ３における動作に対する信号ステータスを仮定する。前記信号ステータスは、フィードバック信号を送信するオプション及び何も送信しないオプションを含む。ブロック６２において、フィードバック信号が送信されるべきかを見るために確認される。回答がイエス（Ｙ）である場合、前記フローチャートはブロック６４に進む。ブロック５８における回答がノー（Ｎ）である場合、前記フローチャートはブロック６８に進む。
【００３２】
ブロック６４は、前記移動局が、前記品質範囲を示す指標（indicia）を含むフィードバック信号を送信することに関する。前記指標は、如何なる適切な形式、例えば、ＮＡＣＫ２（図２）のような所定の承認信号であってもよい。ブロック６６は、基地局ＢＳが前記フィードバック信号を受信し、前記受信された指標を解析することに関する。前記フローチャートは、ブロック６６からの出力及びブロック６２からのノー（Ｎ）出力をブロック６８に与え、ブロック６８は前記基地局が送信動作を決定することに関する。ブロック７０は、前記基地局がデータパケットの再送信が必要であるかどうかを確認することに関する。回答がノー（Ｎ）の場合、前記フローチャートはブロック５０に進む。回答がイエス（Ｙ）である場合、前記フローチャートはブロック７２に進み、ブロック７２は、所要回数のデータパケットの再送信に関する。前記フローチャートは、この後に、ブロック５２に進む。
【００３３】
本明細書及び請求項において、要素に先行する単語“１つの”は複数のこのような要素の存在を除外しない。更に、単語“有する”は記載された要素又はステップ以外の要素又はステップの存在を除外しない。
【００３４】
この開示を読むことにより、他の変更例が当業者に明らかである。このような変更は、通信システム及び構成部品の設計、製造及び使用において既知であり、ここに既に記載されたフィーチャの代わりに又は加えて使用されることができる他のフィーチャを含んでもよい。
【図面の簡単な説明】
【００３５】
【図１】本発明により作製されたマルチキャスト通信システムのブロック概略図である。
【図２】受信されたデータパケットの測定された品質が３つの品質範囲の１つに位置する本発明の一実施例を示す。
【図３】本発明による方法の一実施例を実施する場合に含まれる動作のフローチャートである。
【図１】
2007519357.tif 000003
【図２】
2007519357.tif 000004
【図３】
2007519357.tif 000005
【国際調査報告】
2007519357.tif 000006
2007519357.tif 000007
2007519357.tif 000008